(57)【要約】【課題】正逆送給アーク溶接方法において、不活性ガスを主成分とするシールドガスを使用し、平均溶接電流値が約２５０Ａ以上のときでも、良好な溶接品質を得ること。【解決手段】不活性ガスを６０体積％以上含むシールドガスを使用し、溶接ワイヤの送給Ｆｗを正送と逆送とに交互に切り換え、短絡期間とアーク期間とを繰り返し、アーク期間は大電流アーク期間及び小電流アーク期間とを備えているアーク溶接制御方法において、時刻ｔ４１〜ｔ６１の大電流アーク期間中の溶接電流Ｉｗの値が予め定めた上限電流値以上になったときは、大電流アーク期間が長くなるように制御する。大電流アーク期間が長くなると溶接電流Ｉｗの最大値が小さくなるので、大電流アーク期間中に溶滴が移行することを防止することができ、短絡期間中に溶滴が確実に移行するようになる。このために、良好な溶接品質を得ることができる。【選択図】  図２
2020015067.tif 000002
【特許請求の範囲】
【請求項１】
不活性ガスを６０体積％以上含むシールドガスを使用し、溶接ワイヤの送給を正送と逆送とに交互に切り換え、短絡期間とアーク期間とを繰り返し、前記アーク期間は大電流アーク期間及び小電流アーク期間とを備えているアーク溶接制御方法において、
前記大電流アーク期間中の溶接電流の値が予め定めた上限電流値以上になったときは、前記大電流アーク期間が長くなるように制御する、
ことを特徴とするアーク溶接制御方法。
【請求項２】
前記上限電流値は、前記不活性ガスの体積％が大きくなるほど小さくなるように設定される、
ことを特徴とする請求項１に記載のアーク溶接制御方法。
【請求項３】
前記大電流アーク期間中は定電圧制御される、
ことを特徴とする請求項１又は２に記載のアーク溶接制御方法。
【請求項４】
前記大電流アーク期間が長くなる制御を行ったときは、前記送給の正送ピーク値が小さくなるように制御する、
ことを特徴とする請求項１〜３のいずれか１項に記載のアーク溶接制御方法。
【請求項５】
前記正送ピーク値が小さくなるように制御したときは、前記送給の平均値が変化しないように前記送給の逆送ピーク値を制御する、
ことを特徴とする請求項４に記載のアーク溶接制御方法。
【発明の詳細な説明】
【技術分野】
【０００１】
本発明は、不活性ガスを６０体積％以上含むシールドガスを使用し、溶接ワイヤの送給を正送と逆送とに交互に切り換え、短絡期間とアーク期間とを繰り返し、アーク期間は大電流アーク期間及び小電流アーク期間とを備えているアーク溶接制御方法に関するものである。
【背景技術】
【０００２】
一般的な消耗電極式アーク溶接では、消耗電極である溶接ワイヤを一定速度で送給し、溶接ワイヤと母材との間にアークを発生させて溶接が行なわれる。消耗電極式アーク溶接では、溶接ワイヤと母材とが短絡期間とアーク期間とを交互に繰り返す溶接状態になることが多い。
【０００３】
溶接品質をさらに向上させるために、溶接ワイヤの送給を正送と逆送とに交互に切り換えて溶接する正逆送給アーク溶接方法が提案されている（例えば、特許文献１参照）。この正逆送給アーク溶接方法では、一定の送給速度の従来技術に比べて、短絡とアークとの繰り返しの周期を安定化することができるので、スパッタ発生量の削減、ビード外観の改善等の溶接品質の向上を図ることができる。
【先行技術文献】
【特許文献】
【０００４】
【特許文献１】特開２０１８−１２７０号公報
【発明の概要】
【発明が解決しようとする課題】
【０００５】
正逆送給アーク溶接方法においては、短絡期間とアーク期間との周期の変動が抑制され、短絡期間中に確実に溶滴の移行が行われることによって、溶接品質が向上する。しかし、正逆送給アーク溶接方法において、不活性ガスを主成分とするシールドガスを使用し、平均溶接電流値が約２５０Ａ以上になると、アーク期間中の溶接電流値が大きくなり、アーク期間中に溶滴が移行するようになる。このようになると、短絡期間とアーク期間との周期の変動が大きくなり、溶滴の移行が短絡期間に同期して行われなくなる。この結果、溶接品質が悪くなるという問題があった。
【０００６】
そこで、本発明では、正逆送給アーク溶接方法において、不活性ガスを主成分とするシールドガスを使用し、平均溶接電流値が約２５０Ａ以上のときでも、良好な溶接品質を得ることができるアーク溶接制御方法を提供することを目的とする。
【課題を解決するための手段】
【０００７】
上述した課題を解決するために、請求項１の発明は、
不活性ガスを６０体積％以上含むシールドガスを使用し、溶接ワイヤの送給を正送と逆送とに交互に切り換え、短絡期間とアーク期間とを繰り返し、前記アーク期間は大電流アーク期間及び小電流アーク期間とを備えているアーク溶接制御方法において、
前記大電流アーク期間中の溶接電流の値が予め定めた上限電流値以上になったときは、前記大電流アーク期間が長くなるように制御する、
ことを特徴とするアーク溶接制御方法である。
【０００８】
請求項２の発明は、前記上限電流値は、前記不活性ガスの体積％が大きくなるほど小さくなるように設定される、
ことを特徴とする請求項１に記載のアーク溶接制御方法である。
【０００９】
請求項３の発明は、前記大電流アーク期間中は定電圧制御される、
ことを特徴とする請求項１又は２に記載のアーク溶接制御方法である。
【００１０】
請求項４の発明は、前記大電流アーク期間が長くなる制御を行ったときは、前記送給の正送ピーク値が小さくなるように制御する、
ことを特徴とする請求項１〜３のいずれか１項に記載のアーク溶接制御方法である。
【００１１】
請求項５の発明は、前記正送ピーク値が小さくなるように制御したときは、前記送給の平均値が変化しないように前記送給の逆送ピーク値を制御する、
ことを特徴とする請求項４に記載のアーク溶接制御方法である。
【発明の効果】
【００１２】
本発明によれば、正逆送給アーク溶接方法において、不活性ガスを主成分とするシールドガスを使用し、平均溶接電流値が約２５０Ａ以上のときでも、良好な溶接品質を得ることができる。
【図面の簡単な説明】
【００１３】
【図１】本発明の実施の形態１に係るアーク溶接制御方法を実施するための溶接電源のブロック図である。
【図２】本発明の実施の形態１に係るアーク溶接制御方法を示す図１の溶接電源における各信号のタイミングチャートである。
【図３】本発明の実施の形態２に係るアーク溶接制御方法を実施するための溶接電源のブロック図である。
【発明を実施するための形態】
【００１４】
以下、図面を参照して本発明の実施の形態について説明する。
【００１５】
［実施の形態１］
図１は、本発明の実施の形態１に係るアーク溶接制御方法を実施するための溶接電源のブロック図である。以下、同図を参照して各ブロックについて説明する。
【００１６】
電源主回路ＰＭは、３相２００Ｖ等の商用電源（図示は省略）を入力として、後述する誤差増幅信号Ｅａに従ってインバータ制御等による出力制御を行い、出力電圧Ｅを出力する。この電源主回路ＰＭは、図示は省略するが、商用電源を整流する１次整流器、整流された直流を平滑する平滑コンデンサ、平滑された直流を高周波交流に変換する上記の誤差増幅信号Ｅａによって駆動されるインバータ回路、高周波交流を溶接に適した電圧値に降圧する高周波変圧器、降圧された高周波交流を直流に整流する２次整流器を備えている。
【００１７】
リアクトルＷＬは、上記の出力電圧Ｅを平滑する。このリアクトルＷＬのインダクタンス値は、例えば１００μＨである。
【００１８】
送給モータＷＭは、後述する送給制御信号Ｆｃを入力として、正送と逆送とを交互に繰り返して溶接ワイヤ１を送給速度Ｆｗで送給する。送給モータＷＭには、過渡応答性の速いモータが使用される。溶接ワイヤ１の送給速度Ｆｗの変化率及び送給方向の反転を速くするために、送給モータＷＭは溶接トーチ４の先端の近くに設置される場合がある。また、送給モータＷＭを２個使用して、プッシュプル方式の送給系とする場合もある。
【００１９】
溶接ワイヤ１は、上記の送給モータＷＭに結合された送給ロール５の回転によって溶接トーチ４内を送給されて、母材２との間にアーク３が発生する。溶接トーチ４内の給電チップ（図示は省略）と母材２との間には溶接電圧Ｖｗが印加し、溶接電流Ｉｗが通電する。溶接トーチ４の先端からはシールドガスが噴出して、アーク３を大気から遮蔽する。本発明においては、不活性ガスを主成分とするシールドガスを使用する。不活性ガスとしては、アルゴンガス、ヘリウムガス等であり、混合される活性ガスは炭酸ガス、酸素ガス等である。不活性ガスを主成分とするシールドガスとは、実用的に使用されている不活性ガスの体積％が６０％以上のシールドガスのことである。
【００２０】
出力電圧設定回路ＥＲは、予め定めた出力電圧設定信号Ｅｒを出力する。出力電圧検出回路ＥＤは、上記の出力電圧Ｅを検出し平滑して、出力電圧検出信号Ｅｄを出力する。
【００２１】
電圧誤差増幅回路ＥＶは、上記の出力電圧設定信号Ｅｒ及び上記の出力電圧検出信号Ｅｄを入力として、出力電圧設定信号Ｅｒ（＋）と出力電圧検出信号Ｅｄ（−）との誤差を増幅して、電圧誤差増幅信号Ｅｖを出力する。
【００２２】
電流検出回路ＩＤは、上記の溶接電流Ｉｗを検出して、電流検出信号Ｉｄを出力する。電圧検出回路ＶＤは、上記の溶接電圧Ｖｗを検出して、電圧検出信号Ｖｄを出力する。短絡判別回路ＳＤは、上記の電圧検出信号Ｖｄを入力として、この値が予め定めた短絡判別値（１０Ｖ程度）未満のときは短絡期間にあると判別してＨｉｇｈレベルになり、以上のときはアーク期間にあると判別してＬｏｗレベルになる短絡判別信号Ｓｄを出力する。
【００２３】
正送加速期間設定回路ＴＳＵＲは、予め定めた正送加速期間設定信号Ｔsurを出力する。
【００２４】
正送減速期間設定回路ＴＳＤＲは、予め定めた正送減速期間設定信号Ｔsdrを出力する。
【００２５】
逆送加速期間設定回路ＴＲＵＲは、予め定めた逆送加速期間設定信号Ｔrurを出力する。
【００２６】
逆送減速期間設定回路ＴＲＤＲは、予め定めた逆送減速期間設定信号Ｔrdrを出力する。
【００２７】
正送ピーク値設定回路ＷＳＲは、予め正送ピーク基準値を設定して、正送ピーク値設定信号Ｗsrとして出力する。正送ピーク基準値は、平均送給速度（平均溶接電流値）に応じた値として設定される。
【００２８】
逆送ピーク値設定回路ＷＲＲは、予め逆送ピーク基準値を設定して、逆送ピーク値設定信号Ｗrrとして出力する。逆送ピーク基準値は、平均送給速度（平均溶接電流値）に応じた値として設定される。
【００２９】
送給速度設定回路ＦＲは、上記の正送加速期間設定信号Ｔsur、上記の正送減速期間設定信号Ｔsdr、上記の逆送加速期間設定信号Ｔrur、上記の逆送減速期間設定信号Ｔrdr、上記の正送ピーク値設定信号Ｗsr、上記の逆送ピーク値設定信号Ｗrr及び上記の短絡判別信号Ｓｄを入力として、以下の処理によって生成された送給速度パターンを送給速度設定信号Ｆｒとして出力する。この送給速度設定信号Ｆｒが０以上のときは正送期間となり、０未満のときは逆送期間となる。
１）正送加速期間設定信号Ｔsurによって定まる正送加速期間Ｔsu中は０から正送ピーク値設定信号Ｗsrによって定まる正の値の正送ピーク値Ｗspまで直線状に加速する送給速度設定信号Ｆｒを出力する。
２）続いて、正送ピーク期間Ｔsp中は、上記の正送ピーク値Ｗspを維持する送給速度設定信号Ｆｒを出力する。
３）短絡判別信号ＳｄがＬｏｗレベル(アーク期間)からＨｉｇｈレベル(短絡期間)に変化すると、正送減速期間設定信号Ｔsdrによって定まる正送減速期間Ｔsdに移行し、上記の正送ピーク値Ｗspから０まで直線状に減速する送給速度設定信号Ｆｒを出力する。
４）続いて、逆送加速期間設定信号Ｔrurによって定まる逆送加速期間Ｔru中は０から逆送ピーク値設定信号Ｗrrによって定まる負の値の逆送ピーク値Ｗrpまで直線状に加速する送給速度設定信号Ｆｒを出力する。
５）続いて、逆送ピーク期間Ｔrp中は、上記の逆送ピーク値Ｗrpを維持する送給速度設定信号Ｆｒを出力する。
６）短絡判別信号ＳｄがＨｉｇｈレベル(短絡期間)からＬｏｗレベル(アーク期間)に変化すると、逆送減速期間設定信号Ｔrdrによって定まる逆送減速期間Ｔrdに移行し、上記の逆送ピーク値Ｗrpから０まで直線状に減速する送給速度設定信号Ｆｒを出力する。
７）上記の１）〜６）を繰り返すことによって正負の台形波状に変化する送給パターンの送給速度設定信号Ｆｒが生成される。
【００３０】
送給制御回路ＦＣは、上記の送給速度設定信号Ｆｒを入力として、送給速度設定信号Ｆｒの値に相当する送給速度Ｆｗで溶接ワイヤ１を送給するための送給制御信号Ｆｃを上記の送給モータＷＭに出力する。
【００３１】
減流抵抗器Ｒは、上記のリアクトルＷＬと溶接トーチ４との間に挿入される。この減流抵抗器Ｒの値は、短絡負荷（０．０１〜０．０３Ω程度）の１０倍以上大きな値（０．５〜３Ω程度）に設定される。この減流抵抗器Ｒが通電路に挿入されると、リアクトルＷＬ及び外部ケーブルのリアクトルに蓄積されたエネルギーが急放電される。
【００３２】
トランジスタＴＲは、上記の減流抵抗器Ｒと並列に接続されて、後述する駆動信号Ｄｒに従ってオン又はオフ制御される。
【００３３】
くびれ検出回路ＮＤは、上記の短絡判別信号Ｓｄ、上記の電圧検出信号Ｖｄ及び上記の電流検出信号Ｉｄを入力として、短絡判別信号ＳｄがＨｉｇｈレベル（短絡期間）であるときの電圧検出信号Ｖｄの電圧上昇値が基準値に達した時点でくびれの形成状態が基準状態になったと判別してＨｉｇｈレベルとなり、短絡判別信号ＳｄがＬｏｗレベル（アーク期間）に変化した時点でＬｏｗレベルになるくびれ検出信号Ｎｄを出力する。また、短絡期間中の電圧検出信号Ｖｄの微分値がそれに対応した基準値に達した時点でくびれ検出信号ＮｄをＨｉｇｈレベルに変化させるようにしても良い。さらに、電圧検出信号Ｖｄの値を電流検出信号Ｉｄの値で除算して溶滴の抵抗値を算出し、この抵抗値の微分値がそれに対応する基準値に達した時点でくびれ検出信号ＮｄをＨｉｇｈレベルに変化させるようにしても良い。
【００３４】
低レベル電流設定回路ＩＬＲは、予め定めた低レベル電流設定信号Ｉlrを出力する。電流比較回路ＣＭは、この低レベル電流設定信号Ｉlr及び上記の電流検出信号Ｉｄを入力として、Ｉｄ＜ＩlrのときはＨｉｇｈレベルになり、Ｉｄ≧ＩlrのときはＬｏｗレベルになる電流比較信号Ｃｍを出力する。
【００３５】
駆動回路ＤＲは、上記の電流比較信号Ｃｍ及び上記のくびれ検出信号Ｎｄを入力として、くびれ検出信号ＮｄがＨｉｇｈレベルに変化するとＬｏｗレベルに変化し、その後に電流比較信号ＣｍがＨｉｇｈレベルに変化するとＨｉｇｈレベルに変化する駆動信号Ｄｒを上記のトランジスタＴＲのベース端子に出力する。したがって、この駆動信号Ｄｒはくびれが検出されるとＬｏｗレベルになり、トランジスタＴＲがオフ状態になり通電路に減流抵抗器Ｒが挿入されるので、短絡負荷を通電する溶接電流Ｉｗは急減する。そして、急減した溶接電流Ｉｗの値が低レベル電流設定信号Ｉlrの値まで減少すると、駆動信号ＤｒはＨｉｇｈレベルになり、トランジスタＴＲがオン状態になるので、減流抵抗器Ｒは短絡されて通常の状態に戻る。
【００３６】
電流制御設定回路ＩＣＲは、上記の短絡判別信号Ｓｄ、上記の低レベル電流設定信号Ｉlr及び上記のくびれ検出信号Ｎｄを入力として、以下の処理を行い、電流制御設定信号Ｉcrを出力する。
１）短絡判別信号ＳｄがＬｏｗレベル(アーク期間)のときは、低レベル電流設定信号Ｉlrとなる電流制御設定信号Ｉcrを出力する。
２）短絡判別信号ＳｄがＨｉｇｈレベル(短絡期間)に変化すると、予め定めた初期期間中は予め定めた初期電流設定値となり、その後は予め定めた短絡時傾斜で予め定めた短絡時ピーク設定値まで上昇してその値を維持する電流制御設定信号Ｉcrを出力する。
３）その後に、くびれ検出信号ＮｄがＨｉｇｈレベルに変化すると、低レベル電流設定信号Ｉlrの値となる電流制御設定信号Ｉcrを出力する。
【００３７】
電流誤差増幅回路ＥＩは、上記の電流制御設定信号Ｉcr及び上記の電流検出信号Ｉｄを入力として、電流制御設定信号Ｉcr（＋）と電流検出信号Ｉｄ（−）との誤差を増幅して、電流誤差増幅信号Ｅｉを出力する。
【００３８】
上限電流値設定回路ＩＭＲは、予め定めた上限電流値設定信号Ｉmrを出力する。上限電流値設定信号Ｉmrの値は、不活性ガスの体積％が大きくなるほど小さくなるように設定される。例えば、不活性ガスの体積％が６０％のときはＩmr＝４５０Ａに設定され、８０％のときはＩmr＝４００Ａに設定され、１００％のときはＩmr＝３５０Ａに設定される。
【００３９】
アーク電流比較回路ＣＭＡは、上記の上限電流値設定信号Ｉmr、上記の短絡判別信号Ｓｄ及び上記の電流検出信号Ｉｄを入力として、短絡判別信号ＳｄがＬｏｗレベル（アーク期間）であるときにＩｄ＞ＩmrになるとＨｉｇｈレベルにセットされ、短絡判別信号ＳｄがＨｉｇｈレベルに変化するとＬｏｗレベルにリセットされるアーク電流比較信号Ｃmaを出力する。
【００４０】
電流降下時間設定回路ＴＤＲは、上記のアーク電流比較信号Ｃmaを入力として、予め基準値を設定し、アーク電流比較信号ＣmaがＨｉｇｈレベルに変化するごとに予め定めた増加値だけ加算して、電流降下時間設定信号Ｔdrを出力する。基準値は、平均送給速度（平均溶接電流値）に応じて適正値に設定される。例えば、基準値は５msであり、増加値は０．１msである。
【００４１】
小電流期間回路ＳＴＤは、上記の短絡判別信号Ｓｄ及び上記の電流降下時間設定信号Ｔdrを入力として、短絡判別信号ＳｄがＬｏｗレベル(アーク期間)に変化した時点から電流降下時間設定信号Ｔdrによって定まる時間が経過した時点でＨｉｇｈレベルになり、その後に短絡判別信号ＳｄがＨｉｇｈレベル(短絡期間)になるとＬｏｗレベルになる小電流期間信号Ｓtdを出力する。
【００４２】
電源特性切換回路ＳＷは、上記の電流誤差増幅信号Ｅｉ、上記の電圧誤差増幅信号Ｅｖ、上記の短絡判別信号Ｓｄ及び上記の小電流期間信号Ｓtdを入力として、以下の処理を行い、誤差増幅信号Ｅａを出力する。
１）短絡判別信号ＳｄがＨｉｇｈレベル(短絡期間)に変化した時点から、短絡判別信号ＳｄがＬｏｗレベル(アーク期間)に変化して予め定めた遅延期間が経過した時点までの期間中は、電流誤差増幅信号Ｅｉを誤差増幅信号Ｅａとして出力する。
２）その後の大電流アーク期間中は、電圧誤差増幅信号Ｅｖを誤差増幅信号Ｅａとして出力する。
３）その後のアーク期間中に小電流期間信号ＳtdがＨｉｇｈレベルとなる小電流アーク期間中は、電流誤差増幅信号Ｅｉを誤差増幅信号Ｅａとして出力する。
この回路によって、溶接電源の特性は、短絡期間、遅延期間及び小電流アーク期間中は定電流特性となり、それ以外の大電流アーク期間中は定電圧特性となる。
【００４３】
図２は、本発明の実施の形態１に係るアーク溶接制御方法を示す図１の溶接電源における各信号のタイミングチャートである。同図（Ａ）は送給速度Ｆｗの時間変化を示し、同図（Ｂ）は溶接電流Ｉｗの時間変化を示し、同図（Ｃ）は溶接電圧Ｖｗの時間変化を示し、同図(Ｄ)は短絡判別信号Ｓｄの時間変化を示し、同図(Ｅ)は小電流期間信号Ｓtdの時間変化を示し、同図（Ｆ）はアーク電流比較信号Ｃmaの時間変化を示す。以下、同図を参照して各信号の動作について説明する。
【００４４】
同図（Ａ）に示す送給速度Ｆｗは、図１の送給速度設定回路ＦＲから出力される送給速度設定信号Ｆｒの値に制御される。送給速度Ｆｗは、図１の正送加速期間設定信号Ｔsurによって定まる正送加速期間Ｔsu、短絡が発生するまで継続する正送ピーク期間Ｔsp、図１の正送減速期間設定信号Ｔsdrによって定まる正送減速期間Ｔsd、図１の逆送加速期間設定信号Ｔrurによって定まる逆送加速期間Ｔru、アークが発生するまで継続する逆送ピーク期間Ｔrp及び図１の逆送減速期間設定信号Ｔrdrによって定まる逆送減速期間Ｔrdから形成される。さらに、正送ピーク値Ｗspは図１の正送ピーク値設定信号Ｗsrによって定まり、逆送ピーク値Ｗrpは図１の逆送ピーク値設定信号Ｗrrによって定まる。この結果、送給速度設定信号Ｆｒは、正負の略台形波波状に変化する送給パターンとなる。
【００４５】
［時刻ｔ１〜ｔ４の短絡期間の動作］
正送ピーク期間Ｔsp中の時刻ｔ１において短絡が発生すると、同図(Ｃ)に示すように、溶接電圧Ｖｗは数Ｖの短絡電圧値に急減するので、同図(Ｄ)に示すように、短絡判別信号ＳｄがＨｉｇｈレベル(短絡期間)に変化する。これに応動して、時刻ｔ１〜ｔ２の予め定めた正送減速期間Ｔsdに移行し、同図(Ａ)に示すように、送給速度Ｆｗは上記の正送ピーク値Ｗspから０まで減速する。例えば、正送減速期間Ｔsd＝１msに設定される。
【００４６】
同図（Ａ）に示すように、送給速度Ｆｗは時刻ｔ２〜ｔ３の予め定めた逆送加速期間Ｔruに入り、０から上記の逆送ピーク値Ｗrpまで加速する。この期間中は短絡期間が継続している。例えば、逆送加速期間Ｔru＝１msに設定される。
【００４７】
時刻ｔ３において逆送加速期間Ｔruが終了すると、同図（Ａ）に示すように、送給速度Ｆｗは逆送ピーク期間Ｔrpに入り、上記の逆送ピーク値Ｗrpになる。逆送ピーク期間Ｔrpは、時刻ｔ４にアークが発生するまで継続する。したがって、時刻ｔ１〜ｔ４の期間が短絡期間となる。逆送ピーク期間Ｔrpは所定値ではないが、４ms程度となる。例えば、逆送ピーク値Ｗrp＝−６０m/minに設定される。
【００４８】
同図(Ｂ)に示すように、時刻ｔ１〜ｔ４の短絡期間中の溶接電流Ｉｗは、予め定めた初期期間中は予め定めた初期電流値となる。その後、溶接電流Ｉｗは、予め定めた短絡時傾斜で上昇し、予め定めた短絡時ピーク値に達するとその値を維持する。
【００４９】
同図（Ｃ）に示すように、溶接電圧Ｖｗは、溶接電流Ｉｗが短絡時ピーク値となるあたりから上昇する。これは、溶接ワイヤ１の逆送及び溶接電流Ｉｗによるピンチ力の作用により、溶接ワイヤ１の先端の溶滴にくびれが次第に形成されるためである。
【００５０】
その後に溶接電圧Ｖｗの電圧上昇値が基準値に達すると、くびれの形成状態が基準状態になったと判別して、図１のくびれ検出信号ＮｄはＨｉｇｈレベルに変化する。
【００５１】
くびれ検出信号ＮｄがＨｉｇｈレベルになったことに応動して、図１の駆動信号ＤｒはＬｏｗレベルになるので、図１のトランジスタＴＲはオフ状態となり図１の減流抵抗器Ｒが通電路に挿入される。同時に、図１の電流制御設定信号Ｉcrが低レベル電流設定信号Ｉlrの値に小さくなる。このために、同図（Ｂ）に示すように、溶接電流Ｉｗは短絡時ピーク値から低レベル電流値へと急減する。そして、溶接電流Ｉｗが低レベル電流値まで減少すると、駆動信号ＤｒはＨｉｇｈレベルに戻るので、トランジスタＴＲはオン状態となり減流抵抗器Ｒは短絡される。同図（Ｂ）に示すように、溶接電流Ｉｗは、電流制御設定信号Ｉcrが低レベル電流設定信号Ｉlrのままであるので、アーク再発生から予め定めた遅延期間が経過するまでは低レベル電流値を維持する。したがって、トランジスタＴＲは、くびれ検出信号ＮｄがＨｉｇｈレベルに変化した時点から溶接電流Ｉｗが低レベル電流値に減少するまでの期間のみオフ状態となる。同図（Ｃ）に示すように、溶接電圧Ｖｗは、溶接電流Ｉｗが小さくなるので一旦減少した後に急上昇する。上述した各パラメータは、例えば以下の値に設定される。初期電流＝４０Ａ、初期期間＝０．５ms、短絡時傾斜＝２ms、短絡時ピーク値＝４００Ａ、低レベル電流値＝５０Ａ、遅延期間＝０．５ms。
【００５２】
［時刻ｔ４〜ｔ７のアーク期間の動作］
時刻ｔ４において、溶接ワイヤの逆送及び溶接電流Ｉｗの通電によるピンチ力によってくびれが進行してアークが発生すると、同図(Ｃ)に示すように、溶接電圧Ｖｗは数十Ｖのアーク電圧値に急増するので、図(Ｄ)に示すように、短絡判別信号ＳｄがＬｏｗレベル(アーク期間)に変化する。これに応動して、時刻ｔ４〜ｔ５の予め定めた逆送減速期間Ｔrdに移行し、同図(Ａ)に示すように、送給速度Ｆｗは上記の逆送ピーク値Ｗrpから０まで減速する。
【００５３】
時刻ｔ５において逆送減速期間Ｔrdが終了すると、時刻ｔ５〜ｔ６の予め定めた正送加速期間Ｔsuに移行する。この正送加速期間Ｔsu中は、同図（Ａ）に示すように、送給速度Ｆｗは０から上記の正送ピーク値Ｗspまで加速する。この期間中はアーク期間が継続している。例えば、正送加速期間Ｔsu＝１msに設定される。
【００５４】
時刻ｔ６において正送加速期間Ｔsuが終了すると、同図（Ａ）に示すように、送給速度Ｆｗは正送ピーク期間Ｔspに入り、上記の正送ピーク値Ｗspになる。この期間中もアーク期間が継続している。正送ピーク期間Ｔspは、時刻ｔ７に短絡が発生するまで継続する。したがって、時刻ｔ４〜ｔ７の期間がアーク期間となる。そして、短絡が発生すると、時刻ｔ１の動作に戻る。正送ピーク期間Ｔspは所定値ではないが、４ms程度となる。例えば、正送ピーク値Ｗsp＝７０m/minに設定される。
【００５５】
時刻ｔ４においてアークが発生すると、同図(Ｃ)に示すように、溶接電圧Ｖｗは数十Ｖのアーク電圧値に急増する。他方、同図(Ｂ)に示すように、溶接電流Ｉｗは、時刻ｔ４〜ｔ４１の遅延期間の間は低レベル電流値を継続する。その後、時刻ｔ４１から溶接電流Ｉｗは急速に増加してピーク値となり、その後は徐々に減少する大電流値となる。この時刻ｔ４１〜ｔ６１の大電流アーク期間中は、図１の電圧誤差増幅信号Ｅｖによって溶接電源のフィードバック制御が行われるので、定電圧特性となる。したがって、大電流アーク期間中の溶接電流Ｉｗの値はアーク負荷によって変化する。同図（Ｂ）に示すように、時刻ｔ５１において、大電流アーク期間中の溶接電流Ｉｗの値が予め定めた上限電流値以上となったために、同図（Ｆ）に示すように、アーク電流比較信号ＣmaはＨｉｇｈレベルに変化する。アーク電流比較信号Ｃmaは、時刻ｔ７に短絡が発生するとＬｏｗレベルに戻る。上限電流値は、図１の上限電流値設定信号Ｉmrによって設定される。上述したように、上限電流値は、不活性ガスの体積％が大きくなるほど小さくなる値である。
【００５６】
時刻ｔ４にアークが発生してから図１の電流降下時間設定信号Ｔdrによって定まる電流降下時間が経過する時刻ｔ６１において、同図(Ｅ)に示すように、小電流期間信号ＳtdがＨｉｇｈレベルに変化する。これに応動して、溶接電源は定電圧特性から定電流特性に切り換えられる。このために、同図(Ｂ)に示すように、溶接電流Ｉｗは低レベル電流値に低下し、短絡が発生する時刻ｔ７までその値を維持する。同様に、同図(Ｃ)に示すように、溶接電圧Ｖｗも低下する。小電流期間信号Ｓtdは、時刻ｔ７に短絡が発生するとＬｏｗレベルに戻る。
【００５７】
上述したように、同図（Ｆ）に示すアーク電流比較信号Ｃmaが時刻ｔ５１においてＨｉｇｈレベルに変化すると、図１の電流降下時間設定信号Ｔdrの値は予め定めた増加値だけ大きくなる。したがって、大電流アーク期間中の溶接電流Ｉｗの値が図１の上限電流値設定信号Ｉmrの値以上になると、電流降下時間設定信号Ｔdrの値は大きくなり、大電流アーク期間が長くなる。大電流アーク期間が長くなると、次周期における大電流アーク期間中の溶接電流Ｉｗの最大値が小さくなる。この動作は、大電流アーク期間中の溶接電流Ｉｗの値が上限電流値設定信号Ｉmrの値未満となるまで繰り返される。
【００５８】
不活性ガスを主成分とするシールドガスを使用した消耗電極式アーク溶接においては、溶接電流値が臨界値以上になるとスプレー移行によって溶滴が移行するようになる。このために、従来技術では、大電流アーク期間中の溶接電流値が臨界値以上になると、この期間中に溶滴移行が行われることになる。この結果、短絡期間とアーク期間との繰り返し周期の変動が大きくなり、短絡期間と溶滴移行とが非同期状態となり、溶接品質が悪くなっていた。従来技術では、平均溶接電流値が約２５０Ａ以上になると、上記のような現象が生じていた。
【００５９】
これに対して、本実施の形態では、上限電流値を上記の臨界値に近似する値に設定する。そして、大電流アーク期間中の溶接電流値が上限電流値以上にならないように、大電流アーク期間の長さを制御している。このために、本実施の形態では、大電流アーク期間中に溶滴移行が生じることを防止することができるので、短絡期間と溶滴移行とを同期状態にすることができる。この結果、短絡期間とアーク期間との繰り返し周期の変動を抑制することができ、良好な溶接品質を得ることができる。上限電流値を不活性ガスの体積％が大きくなるほど小さくするのは、不活性ガスの比率が大きくなるほど、スプレー移行になる基準値が小さくなるためである。
【００６０】
［実施の形態２］
実施の形態２の発明は、実施の形態１によって大電流アーク期間が長くなる制御を行ったときは、送給の正送ピーク値が小さくなるように制御するものである。
【００６１】
図３は、本発明の実施の形態２に係るアーク溶接制御方法を実施するための溶接電源のブロック図である。同図は、上述した図１と対応しており、同一ブロックには同一符号を付して、それらの説明は繰り返さない。同図は、図１の正送ピーク値設定回路ＷＳＲを第２正送ピーク値設定回路ＷＳＲ２に置換し、図１の逆送ピーク値設定回路ＷＲＲを第２逆送ピーク値設定回路ＷＲＲ２に置換したものである。以下、同図を参照して、これらのブロックについて説明する。
【００６２】
第２正送ピーク値設定回路ＷＳＲ２は、上記のアーク電流比較信号Ｃmaを入力として、予め正送ピーク基準値を設定し、アーク電流比較信号ＣmaがＨｉｇｈレベルに変化するごとに予め定めた正送ピーク減少値だけ減算して、正送ピーク値設定信号Ｗsrを出力する。例えば、正送ピーク減少値は１．０m/minに設定される。
【００６３】
第２逆送ピーク値設定回路ＷＲＲ２は、上記のアーク電流比較信号Ｃma及び上記の送給速度設定信号Ｆｒを入力として、予め逆送ピーク基準値を設定し、アーク電流比較信号ＣmaがＨｉｇｈレベルに変化するごとに送給速度設定信号Ｆｒから平均送給速度を算出し、平均送給速度が変化しないように逆送ピーク基準値を修正して、逆送ピーク値設定信号Ｗrrを出力する。
【００６４】
図３における各信号のタイミングチャートは、上述した図２と同一であるので省略する。但し、同図（Ｆ）に示すアーク電流比較信号ＣmaがＨｉｇｈレベルに変化するごとに、電流降下時間が長くなり、それに連動して正送ピーク値Ｗspが小さくなる点は異なっている。さらに連動して、平均送給速度が変化しないように逆送ピーク値Ｗrpが小さくなる点も異なっている。
【００６５】
実施の形態２によれば、電流降下時間を長くすることによって大電流アーク期間が長くなる制御を行ったときは、送給の正送ピーク値が小さくなるように制御する。正送ピーク値が小さくなると、アーク期間が長くなる。これにより、電流降下時間が長くなっても、図２の時刻ｔ６１〜ｔ７の小電流アーク期間の長さを一定に保つことができる。小電流アーク期間が短くなると、溶接電流が低レベル電流値まで降下する前に短絡が発生してしまい、スパッタが多く発生することになる。小電流アーク期間を適正値に保つことにより、スパッタの発生を防止することができる。
【００６６】
さらに、実施の形態２によれば、正送ピーク値が小さくなるように制御したときは、送給の平均値が変化しないように送給の逆送ピーク値を制御する。これにより、平均送給速度を一定に保つことができるので、溶接状態を安定にすることができる。
【符号の説明】
【００６７】
1            溶接ワイヤ
2            母材
3            アーク
4            溶接トーチ
5            送給ロール
ＣＭ            電流比較回路
Ｃｍ            電流比較信号
ＣＭＡ            アーク電流比較回路
Ｃma            アーク電流比較信号
ＤＲ            駆動回路
Ｄｒ            駆動信号
Ｅ            出力電圧
Ｅａ            誤差増幅信号
ＥＤ            出力電圧検出回路
Ｅｄ            出力電圧検出信号
ＥＩ            電流誤差増幅回路
Ｅｉ            電流誤差増幅信号
ＥＲ            出力電圧設定回路
Ｅｒ            出力電圧設定信号
ＥＶ            電圧誤差増幅回路
Ｅｖ            電圧誤差増幅信号
ＦＣ            送給制御回路
Ｆｃ            送給制御信号
ＦＲ            送給速度設定回路
Ｆｒ            送給速度設定信号
Ｆｗ            送給速度
ＩＣＲ            電流制御設定回路
Ｉcr            電流制御設定信号
ＩＤ            電流検出回路
Ｉｄ            電流検出信号
ＩＬＲ            低レベル電流設定回路
Ｉlr            低レベル電流設定信号
ＩＭＲ            上限電流値設定回路
Ｉmr            上限電流値設定信号
Ｉｗ            溶接電流
ＮＤ            くびれ検出回路
Ｎｄ            くびれ検出信号
ＰＭ            電源主回路
Ｒ            減流抵抗器
ＳＤ            短絡判別回路
Ｓｄ            短絡判別信号
ＳＴＤ            小電流期間回路
Ｓtd            小電流期間信号
ＳＷ            電源特性切換回路
ＴＤＲ            電流降下時間設定回路
Ｔdr            電流降下時間設定信号
ＴＲ            トランジスタ
Ｔrd            逆送減速期間
ＴＲＤＲ          逆送減速期間設定回路
Ｔrdr          逆送減速期間設定信号
Ｔrp            逆送ピーク期間
Ｔru            逆送加速期間
ＴＲＵＲ          逆送加速期間設定回路
Ｔrur          逆送加速期間設定信号
Ｔsd            正送減速期間
ＴＳＤＲ          正送減速期間設定回路
Ｔsdr          正送減速期間設定信号
Ｔsp            正送ピーク期間
Ｔsu            正送加速期間
ＴＳＵＲ          正送加速期間設定回路
Ｔsur          正送加速期間設定信号
ＶＤ            電圧検出回路
Ｖｄ            電圧検出信号
Ｖｗ            溶接電圧
ＷＬ            リアクトル
ＷＭ            送給モータ
Ｗrp            逆送ピーク値
ＷＲＲ            逆送ピーク値設定回路
Ｗrr            逆送ピーク値設定信号
ＷＲＲ２          第２逆送ピーク値設定回路
Ｗsp            正送ピーク値
ＷＳＲ            正送ピーク値設定回路
Ｗsr            正送ピーク値設定信号
ＷＳＲ２          第２正送ピーク値設定回路
【図１】
2020015067.tif 000003
【図２】
2020015067.tif 000004
【図３】
2020015067.tif 000005